(57)【要約】【課題】表示セルへの隣接表示セルの影響を低減して表示画像の画質を向上させる。【解決手段】画像表示装置での画像の表示は、複数の走査線上の表示セルに階調信号を書き込むことにより行われる。この画像表示装置の走査部は、複数の隣接走査線を含み画像階調値が設定される画像バンドと、フレーム表示期間において同一の調整階調値が設定される調整バンドと、を所定の走査方向に移動させることにより走査を行う。走査部は、走査線上の表示セルを画像階調値に設定するための画像信号と、画像信号と極性が異なり、走査線上の表示セルの階調値を調整階調値に設定するための調整信号と、をいずれかの走査線上の表示セルに交互に書き込む階調信号書込部と、階調信号書込部による画像信号と調整信号との書込位置を設定することにより、画像バンドと調整バンドとを所定の走査方向に移動させる書込位置設定部と、を有している。【選択図】図６
2008096859.tif 000002
【特許請求の範囲】
【請求項１】
複数の走査線上に配置された表示セルに階調信号を書き込むことにより表示セルの階調値を画像を表す階調値に設定して画像を表示する画像表示装置であって、
前記複数の走査線のうちの複数の隣接走査線を含み画像を表す階調値が設定される画像バンドと、前記複数の走査線のうちの少なくとも１つの走査線を含み調整階調値が設定される調整バンドと、を所定の走査方向に移動させることにより走査を行う走査部を備え、
前記走査部は、
前記調整バンドの前記画像バンドに前記所定の走査方向において隣接する走査線上の表示セルの階調値を前記画像を表す階調値に設定するための画像信号と、前記画像信号と極性が異なり、前記画像バンドの前記調整バンドに前記所定の走査方向において隣接する走査線上の表示セルの階調値を前記調整階調値に設定するための調整信号と、を交互に前記複数の走査線のうちのいずれかの走査線上の表示セルに書き込む階調信号書込部と、
前記階調信号書込部による、前記画像信号と前記調整信号との書込位置を設定することにより前記画像バンドと前記調整バンドとを前記所定の走査方向に移動させる書込位置設定部と、
を有しており、
前記調整階調値は、前記画像信号の書き込みにより前記画像が前記画像表示装置上に表示されるフレーム表示期間において同一の階調値に維持されている、画像表示装置。
【請求項２】
請求項１記載の画像表示装置であって、
前記調整バンドは、隣接する複数の走査線を含む、画像表示装置。
【請求項３】
請求項２記載の画像表示装置であって、
前記画像バンドと前記調整バンドとは、それぞれ、前記複数走査線のうちの半数の走査線を含んでいる、画像表示装置。
【請求項４】
請求項１または２記載の画像表示装置であって、
前記書込位置設定部は、前記階調信号の時間平均値をより０に近づけるように、前記表示セルに設定される前記画像信号の値と、前記画像バンドと前記調整バンドとが含む走査線の数と、に基づいて前記画像信号の書込位置と前記調整信号の書込位置との位置関係を設定する、画像表示装置。
【請求項５】
請求項１ないし４のいずれか記載の画像表示装置であって、
前記階調信号書込部は、前記階調信号の時間平均値をより０に近づけるように、前記表示セルに設定される前記画像信号の値と、前記画像バンドと前記調整バンドとが含む走査線の数と、に基づいて前記調整信号の値を設定する、画像表示装置。
【請求項６】
複数の走査線上に配置された表示セルに階調信号を書き込むことにより表示セルの階調値を画像を表す階調値に設定して画像を表示する画像表示装置に前記画像を表示する画像表示方法であって、
前記複数の走査線のうちの複数の隣接走査線を含み画像を表す階調値が設定される画像バンドと、前記複数の走査線のうちの少なくとも１つの走査線を含み調整階調値が設定される調整バンドと、を所定の走査方向に移動させることにより走査を行う工程を備え、
前記走査を行う工程は、
前記調整バンドの前記画像バンドに前記所定の走査方向において隣接する走査線上の表示セルの階調値を前記画像を表す階調値に設定するための画像信号と、前記画像信号と極性が異なり、前記画像バンドの前記調整バンドに前記所定の走査方向において隣接する走査線上の表示セルの階調値を前記調整階調値に設定するための調整信号と、を交互に前記複数の走査線のうちのいずれかの走査線上の表示セルに書き込む書込工程と、
前記書込工程における前記画像信号と前記調整信号との書込位置を設定することにより前記画像バンドと前記調整バンドとを前記所定の走査方向に移動させる工程と、
を含んでおり、
前記調整階調値は、前記画像信号の書き込みにより前記画像が前記画像表示装置上に表示されるフレーム表示期間において同一の階調値に維持されている、画像表示方法。
【発明の詳細な説明】
【技術分野】
【０００１】
この発明は、画像表示装置に画像を表示させる技術に関する。
【背景技術】
【０００２】
液晶表示装置では、対向電極に対する画素電極との間の電圧（セル電圧）を適宜設定して、液晶セルの透過率を画像の階調値を表すように設定することにより画像の表示が行われる。このような液晶表示装置では、セル電圧が一定の極性に長時間維持されると、液晶が劣化して残像が生じるおそれがある。そのため、液晶表示装置では、走査周期（フレーム期間）ごとにセル電圧を反転するフレーム反転駆動や、ゲート線上の一群の表示セル（走査線）ごとに、セル電圧を反転する走査線反転駆動が行われる。
【０００３】
【特許文献１】特開２０００−１００７６号公報
【発明の開示】
【発明が解決しようとする課題】
【０００４】
しかしながら、フレーム反転駆動を行った場合、フレーム期間の初期に画像信号が書き込まれた表示セルのセル電圧は、周囲の表示セルのセル電圧により時間の経過とともに変化する。そのため、液晶表示装置の位置によって輝度が変化する輝度ムラが生じ、表示される画像の画質が低下するおそれがある。一方、走査線反転駆動を行った場合、隣接した走査線には異なった極性の信号が書き込まれる。そのため、隣接する表示セルの間でのセル電圧の差が大きくなる。隣接する表示セル間のセル電圧の差が大きくなると液晶が所望の特性を示さなくなり、表示される画像の画質が低下するおそれがある。この問題は、液晶表示装置のみならず、異なる極性の信号を表示セルに書き込む画像表示装置一般に共通する。
【０００５】
本発明は、上述した従来の課題を解決するためになされたものであり、表示セルへの隣接する表示セルの影響を低減して表示画像の画質を向上させることを目的とする。
【課題を解決するための手段】
【０００６】
上記目的の少なくとも一部を達成するために、本発明の画像表示装置は、複数の走査線上に配置された表示セルに階調信号を書き込むことにより表示セルの階調値を画像を表す階調値に設定して画像を表示する画像表示装置であって、前記複数の走査線のうちの複数の隣接走査線を含み画像を表す階調値が設定される画像バンドと、前記複数の走査線のうちの少なくとも１つの走査線を含み調整階調値が設定される調整バンドと、を所定の走査方向に移動させることにより走査を行う走査部を備え、前記走査部は、前記調整バンドの前記画像バンドに前記所定の走査方向において隣接する走査線上の表示セルを前記画像を表す階調値に設定するための画像信号と、前記画像信号と極性が異なり、前記画像バンドの前記調整バンドに前記所定の走査方向において隣接する走査線上の表示セルの階調値を前記調整階調値に設定するための調整信号と、を交互に前記複数の走査線のうちのいずれかの走査線上の表示セルに書き込む階調信号書込部と、前記階調信号書込部による、前記画像信号と前記調整信号との書込位置を設定することにより前記画像バンドと前記調整バンドとを前記所定の走査方向に移動させる書込位置設定部と、を有しており、前記調整階調値は、前記画像信号の書き込みにより前記画像が前記画像表示装置上に表示されるフレーム表示期間において同一の階調値に維持されていることを特徴とする。
【０００７】
この構成によれば、画像バンドは複数の隣接走査線を含んでいるので、画像信号が書き込まれた走査線に隣接する少なくとも一方の走査線には画像信号が書き込まれた状態に維持される。そのため、表示セルへの隣接表示セルの影響を低減することができ、表示画像の画質をより向上させることができる。
【０００８】
前記調整バンドは、隣接する複数の走査線を含むものとしても良い。
【０００９】
この構成によれば、調整バンドに含まれる隣接走査線では、画像が消去された状態が維持される。調整信号が書き込まれた走査線に隣接する少なくとも一方の走査線には調整信号が書き込まれた状態に維持され、調整バンドに画像が現れることが抑制される。このように、画像が消去された状態に維持されるとともに、調整バンドに画像が現れることが抑制されるので、継続的に画像が表示されることにより画像がぼけて観察される動画ぼけ現象を抑制することができる。
【００１０】
前記画像バンドと前記調整バンドとは、それぞれ、前記複数走査線のうちの半数の走査線を含むものとしても良い。
【００１１】
この構成によれば、調整バンドに含まれる隣接バンドにより、１フレーム表示期間の１／２の期間、画像が消去された状態が維持される。このように、十分長い時間にわたって画像が消去された状態を維持することにより、動画ぼけ現象をより確実に抑制することが可能となる。
【００１２】
前記書込位置設定部は、前記階調信号の時間平均値をより０に近づけるように、前記表示セルに設定される前記画像信号の値と、前記画像バンドと前記調整バンドとが含む走査線の数と、に基づいて前記画像信号の書込位置と前記調整信号の書込位置との位置関係を設定する。
【００１３】
この構成によれば、画像信号の値と画像バンドが含む走査線の数とにより、画像信号の時間平均値を算出することができる。同様に、調整信号の値と調整バンドが含む走査線の数とにより、調整信号の時間平均値を算出することができる。また、画像信号の書込位置と調整信号の書込位置との位置関係を設定することにより、画像バンドと調整バンドとがそれぞれ含む走査線の数が設定できる。そのため、画像信号の書込位置と前記調整信号の書込位置との位置関係を適宜すれば、階調信号の時間平均値をより０に近づけ、液晶表示装置の表示セルに設定される信号の極性が一方に偏ることを抑制することができる。
【００１４】
前記階調信号書込部は、前記階調信号の時間平均値をより０に近づけるように、前記表示セルに設定される前記画像信号の値と、前記画像バンドと前記調整バンドとが含む走査線の数と、に基づいて前記調整信号の値を設定するものとしても良い。
【００１５】
この構成によれば、画像信号の値と画像バンドが含む走査線の数とにより、画像信号の時間平均値を算出することができる。同様に、調整信号の値と調整バンドが含む走査線の数とにより、調整信号の時間平均値を算出することができる。そのため、調整信号の値を適宜設定すれば、階調信号の時間平均値をより０に近づけ、液晶表示装置の表示セルに設定される信号の極性が一方に偏ることを抑制することができる。
【００１６】
なお、本発明は、種々の態様で実現することが可能である。例えば、画像表示装置と画像表示方法、その画像表示装置の制御装置と制御方法、それらの画像表示装置、画像表示方法、制御装置、および、制御方法の機能を実現するためのコンピュータプログラム、そのコンピュータプログラムを記録した記録媒体、そのコンピュータプログラムを含み搬送波内に具現化されたデータ信号、等の態様で実現することができる。
【発明を実施するための最良の形態】
【００１７】
次に、本発明の実施の形態を実施例に基づいて以下の順序で説明する。
Ａ．第１実施例：
Ｂ．第２実施例：
Ｃ．第３実施例：
Ｄ．第４実施例：
Ｅ．変形例
【００１８】
Ａ．第１実施例：
図１は、第１実施例における液晶表示装置１０の構成を示す説明図である。液晶表示装置１０は、制御部１００と、信号線駆動部２００と、ゲート線駆動部３００と、液晶パネル４００と、を備えている。液晶パネル４００は、マトリクス状に配列された複数（Ｍ×Ｎ個）の画素回路４１０（表示セル）を有している。
【００１９】
図１の一点鎖線内は、画素回路４１０の等価回路を示している。画素回路４１０は、トランジスタ４１２と、液晶セル４１４と、液晶容量４１６と、を有する回路として表すことができる。トランジスタ４１２と対向電極４１８との間には、液晶セル４１４と液晶容量４１６とが並列に接続されている。ここで対向電極４１８とは、液晶セルを形成する画素電極（図示しない）に、液晶を挟んで対向するように設けられた電極であり、全ての画素回路４１０に共通する電極（共通電極）である。なお、本明細書においては、特に断らない限り、電位とは対向電極に対する電位のことをいい、電圧とは対向電極を基準とする電圧のことをいう。液晶容量４１６は、画素電極と対向電極４１８との間で生じる静電容量である。液晶セル４１４は、対向電極４１８を基準とする画素電極の電圧（セル電圧）に応答して、光の透過率が変化する光学素子である。
【００２０】
図２は、画素回路４１０のセル電圧Ｖｃと、液晶セル４１４の透過率Ｔと、の関係を示すグラフである。図２の横軸は、画素回路４１０のセル電圧Ｖｃを表しており、図２の縦軸は、液晶セル４１４の透過率Ｔを表している。透過率Ｔは、セル電圧Ｖｃが０Ｖで最大の透過率ＴW（以下、「白透過率ＴW」とも呼ぶ）となり、セル電圧Ｖｃの絶対値が大きくなるに従って透過率Ｔが低下する。そして、セル電圧Ｖｃの絶対値が大きくなると透過率Ｔの減少が鈍化し、液晶セル４１４の特性で定まる黒表示電圧ＶB以上で透過率Ｔはほぼ最小の透過率ＴB（以下、「黒透過率ＴB」とも呼ぶ）となる。
【００２１】
図１に示す液晶表示装置１０で画像の表示を行う場合、個々の液晶セル４１４の透過率Ｔを表示される画像の各画素の階調値を表わす透過率にするため、各画素回路４１０のセル電圧Ｖｃが設定される。なお、本明細書においては、このように、画像を表示するために個々の画素回路４１０に設定されるセル電圧Ｖｃを画像信号電圧とも呼ぶ。
【００２２】
図１の制御部１００には、外部から、映像信号と同期信号とが供給される。制御部１００は、供給された同期信号から、制御信号と走査信号とを生成する。生成された制御信号は信号線駆動部２００に供給され、走査信号はゲート線駆動部３００に供給される。制御部１００は、また、外部から供給された映像信号から、画素回路４１０に設定すべきセル電圧を表す信号線データを生成する。生成された信号線データは、デジタル／アナログ変換器（ＤＡＣ）２２０により信号線出力信号に変換され、信号線駆動部２００に供給される。信号線駆動部２００は、制御信号と信号線出力信号とに基づいて、Ｍ本の信号線Ｓ1〜ＳMの電圧（信号線電圧）を設定する。具体的には、信号線駆動部２００は、制御部１００から供給される制御信号に基づいて信号線出力信号のサンプルホールドを行い、信号線Ｓ1〜ＳMをサンプルホールドした電圧値となるように駆動する。
【００２３】
ゲート線駆動部３００は、制御部１００から供給された走査信号に基づいて、Ｎ本のゲート線Ｇ1〜ＧNのいずれか１本をＨレベルに駆動する。あるゲート線Ｇn（ｎ＝１〜Ｎ）がＨレベルに駆動されると、そのゲート線Ｇnに接続された１行分のＭ個の画素回路４１０のトランジスタ４１２が導通状態となる。トランジスタ４１２が導通状態になると、Ｍ個の画素回路４１０がそれぞれ有する液晶容量４１６には、Ｍ本の信号線Ｓ1〜ＳMからそれぞれ電荷が供給される。このように信号線Ｓ1〜ＳMから供給される電荷により液晶容量４１６が充電されることにより、セル電圧は信号線電圧に設定される。各画素回路４１０のセル電圧が信号線電圧になったのち、ゲート線ＧnがＨレベルからＬレベルに立ち下がると、ゲート線Ｇnに接続されたトランジスタ４１２が非道通状態となる。トランジスタ４１２が非道通状態となることにより、ゲート線Ｇnに接続されたＭ個の画素回路４１０では、液晶容量４１６に蓄積された電荷が保持される。液晶容量４１６に電荷が保持されることにより、再度ゲート線ＧnがＨレベルとなるまで、各画素回路４１０のセル電圧は、ゲート線Ｇnの立ち下がり前の信号線電圧に保持される。
【００２４】
図３は、ゲート線駆動部３００の回路構成を示す回路図である。ゲート線駆動部３００は、ゲート線数（Ｎ個）のデータ出力Ｑ1〜ＱNを有するシフトレジスタ３１０と、Ｎ個のアンドゲート３２０とを備えている。シフトレジスタ３１０のデータ入力ＤINには開始信号ＤＹが供給され、クロック入力ＣＫには走査クロックＣＬＹが供給される。シフトレジスタ３１０は、クロック入力ＣＫの立ち上がりと立ち下がりのそれぞれで、データ入力ＤINの値をラッチして第１のデータ出力Ｑ1に出力する。また、クロック入力ＣＫの立ち上がりと立ち下がりのそれぞれで、データ出力Ｑ1〜ＱN-1の値をラッチして上位の桁のデータ出力Ｑ2〜ＱNに出力する。Ｎ個のアンドゲート３２０が有する２つの入力のうちの一方は、それぞれ、シフトレジスタ３１０のＮ個のデータ出力Ｑ1〜ＱNに接続されている。アンドゲート３２０のもう一方の入力は、第１のイネーブル信号ＥＮＢ１と第２のイネーブル信号ＥＮＢ２とに交互に接続されている。Ｎ個のアンドゲート３２０の出力は、それぞれＮ本のゲート線Ｇ1〜ＧNに接続されている。なお、ゲート線駆動部３００の動作については、後述する。
【００２５】
図４は、開始信号ＤＹおよび走査クロックＣＬＹと同期信号との関係を示すタイミングチャートである。図４のＶＳＹＮＣとＨＳＹＮＣは、それぞれ、外部から制御部１００に供給される垂直同期信号と水平同期信号を示している。図４に示すように、垂直同期信号ＶＳＹＮＣの周期ＴVT（以下、「垂直期間ＴVT」とも呼ぶ）は、水平同期信号ＨＳＹＮＣの周期ＴHT（以下、「水平期間ＴHT」とも呼ぶ）のゲート線数（Ｎ）倍となっている。図４のＤＹとＣＬＹとは、それぞれ、ゲート線駆動部３００（図３）のデータ入力ＤINに供給される開始信号ＤＹと、クロック入力ＣＫに供給される走査クロックＣＬＹとの時間変化を示している。走査クロックＣＬＹは、２水平期間（２ＴHT）の周期を有する信号である。
【００２６】
図４に示すように、制御部１００は、１垂直期間ＴVTに２回、走査クロックＣＬＹの１周期分の期間にわたって、開始信号ＤＹをＨレベルに設定する。このように、１垂直期間ＴVTに２回、開始信号ＤＹにＨレベルの開始パルスＤＰ１，ＤＰ２を入れることにより、シフトレジスタ３１０（図３）のデータ出力Ｑ1〜ＱNのうち２つのデータ出力がＨレベルとなる。なお、図４の例では、第１の開始パルスＤＰ１から第２の開始パルスＤＰ２までの時間ＴSと、第２の開始パルスＤＰ２から次の垂直期間の第１の開始パルスＤＰ１までの時間ＴXは、それぞれ１／２垂直期間（１／２ＴVT）に設定されている。なお、後述するように、第１の開始パルスＤＰ１から第２の開始パルスＤＰ１までの時間ＴSは、セル電圧が画像信号に保持される時間であるので、この時間ＴSを画像信号保持時間ＴSとも呼び、第２の開始パルスＤＰ２から第１の開始パルスＤＰ１までの時間ＴXは、セル電圧が調整信号電圧に保持される時間であるので、この時間ＴXを調整信号保持時間ＴXとも呼ぶ。
【００２７】
図５は、走査信号とゲート線駆動部３００の出力信号との関係を示すタイミングチャートである。図５の例では、走査クロックＣＬＹを１／２水平期間（１／２ＴHT）遅延させた信号が、第１のイネーブル信号ＥＮＢ１としてゲート線駆動部３００に供給され、第１のイネーブル信号ＥＮＢ１を反転した信号が第２のイネーブル信号ＥＮＢ２としてゲート線駆動部３００に供給されている。開始信号ＤＹは、第１の開始パルスＤＰ１により時刻ｔ0〜ｔ2の期間でＨレベルとなっている。時刻ｔ1において走査クロックＣＬＹが立ち下がると、データ出力Ｑ1は、Ｌレベルから時刻ｔ1の開始信号ＤＹの値であるＨレベルに変化する。その後、走査クロックＣＬＹの立ち上がりと立ち下がりとの各タイミング（時刻ｔ2，ｔ3，ｔ4）において、Ｈレベルとなる出力データは、順次、上位の桁に移っていく。
【００２８】
なお、上述のように、開始信号ＤＹには垂直期間ＴVTの間に２つの開始パルスＤＰ１，ＤＰ２が入れられている。そのため、シフトレジスタ３１０（図３）のＮ個のデータ出力Ｑ1〜ＱNのうち２つのデータ出力がＨレベルとなる。図５の例では、ｉ番目（ｉは、Ｎ以下の偶数）のデータ出力Ｑiが、データ出力Ｑ1と同時にＨレベルとなるように、開始信号ＤＹに第２の開始パルスＤＰ２が入れられている。データ出力Ｑi〜Ｑi+3のうち、時刻ｔ1〜ｔ2の期間ではデータ出力ＱiがＨレベルとなっている。その後、走査クロックＣＬＹの立ち上がりと立ち下がりとの各タイミング（時刻ｔ2，ｔ3，ｔ4）において、Ｈレベルとなる出力データは、順次、上位の桁に移っていく。
【００２９】
図３に示すように、１番目のゲート線Ｇ1を駆動するアンドゲートには、第１のイネーブル信号ＥＮＢ１が入力されている。そのため、１番目のゲート線Ｇ1は、時刻ｔ1〜ｔ2の期間の前半においてＨレベルとなる。これに対し、ｉ（偶数）番目のゲート線Ｇiを駆動するアンドゲートには、第２のイネーブル信号ＥＮＢ２が入力されている。そのため、ｉ番目のゲート線Ｇiは、時刻ｔ1〜ｔ2の期間の後半においてＨレベルとなる。次いで、時刻ｔ2〜ｔ3の期間の前半において、２番目のゲート線Ｇ2がＨレベルとなり、時刻ｔ2〜ｔ3の期間の後半において、ｉ＋１番目のゲート線Ｇi+1がＨレベルとなる。このように、１／２水平期間（１／２ＴHT）ごとに、図４に示す１垂直期間ＴVT中の２つの開始パルスＤＰ１，ＤＰ２に対応して、離れたゲート線が交互にＨレベルに駆動される。また、１水平期間ＴHTごとに、隣接するゲート線が順次Ｈレベルに駆動される。
【００３０】
図６は、液晶パネル４００（図１）の画素回路４１０が駆動される様子を示す説明図である。図６（ａ）は、ゲート線Ｇ1〜Ｇ4，Ｇi〜Ｇi+3の状態と、Ｍ本の信号線Ｓ1〜ＳMのうちの一本の信号線Ｓmの信号線電圧Ｖｓと、の時間変化を示すタイミングチャートである。
【００３１】
上述のように、ゲート線Ｇ1は時刻ｔ1〜ｔ2の期間の前半でＨレベルに駆動される。ゲート線Ｇ1がＨレベルに駆動されている１／２水平期間（１／２ＴHT）の間、信号線Ｓmには正極性の画像信号電圧が加えられる。そのため、ゲート線Ｇ1に接続された画素回路４１０のセル電圧は画像信号電圧に設定され、ゲート線Ｇ1に接続された画素回路４１０により画像が表示される。本明細書では、このようにセル電圧を画像信号電圧に設定することを、画素回路４１０に画像信号を書き込むともいう。
【００３２】
次いで、ゲート線Ｇiが時刻ｔ1〜ｔ2の期間の後半でＨレベルに駆動されると、信号線Ｓmには、負極性の黒表示電圧−ＶBが加えられる。そのため、ゲート線Ｇiに接続された画素回路４１０のセル電圧は負極性の黒表示電圧−ＶBに設定され、ゲート線Ｇiに接続された画素回路４１０の各液晶セル４１４の透過率は黒色透過率ＴBとなる。
【００３３】
なお、本実施例では、時刻ｔ1〜ｔ2の期間の後半で信号線Ｓmの電圧を負極性の黒表示電圧−ＶBに設定して、セル電圧を負極性の黒表示電圧−ＶBに設定しているが、一般に、この期間の信号線Ｓmの電圧を予め設定された負極性の調整信号電圧−ＶX（−ＶB＜−ＶX＜０）に設定して、セル電圧を調整信号電圧−ＶXとすることも可能である。なお、以下では、黒表示電圧−ＶBと調整信号電圧−ＶXとを併せて調整信号電圧と呼ぶ。本明細書では、このようにセル電圧を調整信号電圧に設定することを、画素回路４１０に調整信号を書き込むともいう。
【００３４】
図６（ｂ）は、時刻ｔ2〜ｔ3の期間において、液晶パネル４００の画素回路４１０に画像信号と調整信号とが書き込まれる様子を示している。図６（ｂ）に示すように、時刻ｔ2〜ｔ3の期間の前半では、ゲート線Ｇ2上の画素回路４１０に画像信号が書き込まれる。次いで、時刻ｔ2〜ｔ3の期間の後半では、ゲート線Ｇi+1上の画素回路４１０に調整信号が書き込まれる。
【００３５】
このように、ゲート線Ｇ2上の画素回路４１０には、それぞれ、画素ごとに設定される画像信号が書き込まれる。書き込まれた画像信号により、ゲート線Ｇ2上の各画素回路４１０の液晶セル４１４の透過率が決まり、ゲート線Ｇ2分の画像が形成される。一方、ゲート線Ｇi+1上の画素回路４１０には、調整信号が書き込まれる。そのため、ゲート線Ｇi+1上の全ての画素回路４１０の液晶セル４１４は、透過率Ｔが黒透過率ＴBとなり、ゲート線Ｇi+1分の画像が消去される。
【００３６】
図７は、液晶パネル４００に画像信号と調整信号とが書き込まれる様子を示す説明図である。図７（ａ）〜図７（ｄ）のそれぞれは、１／４垂直期間（１／４ＴVT）ごとの液晶パネル４００の状態を示している。
【００３７】
図７（ａ）では、液晶パネル４００の上端の画像信号書込位置ＬＩＭ上で、画像信号の書込が行われている。そして、液晶パネル４００中央部の調整信号書込位置ＬＢＫ上で、調整信号の書込が行われている。第１実施例では、図３に示すように、画像信号保持時間ＴSと調整信号保持時間ＴXは、いずれも１／２垂直期間（１／２ＴVT）となっている。そのため、液晶パネル４００上で画像が表示される第１の画像領域ＲＩＭ１と、調整信号の書込により画像が消去された第１の調整領域ＲＢＫ１とは、同じ高さとなっている。
【００３８】
図７（ａ）の状態から図７（ｂ）の状態に移る間に、画像信号書込位置ＬＩＭと調整信号書込位置ＬＢＫとは下方（走査方向）に移動する。これらの書込位置ＬＩＭ，ＬＢＫの移動に伴って、第１の調整領域ＲＢＫ１には上方から画像が書き込まれ、第１の画像領域ＲＩＭ１は上方から画像が消去される。これにより、液晶パネル４００の上部１／４の領域が第２の画像領域ＲＩＭ２となり、中央部の１／２の領域が第１の調整領域ＲＢＫ１となり、下部１／４の領域が第１の画像領域ＲＩＭ１となる。
【００３９】
図７（ｂ）の状態からさらに１／４垂直期間（１／４ＴVT）が経過した図７（ｃ）では、画像信号書込位置ＬＩＭと調整信号書込位置ＬＢＫとが下方に移動し、調整信号書込位置ＬＢＫが液晶パネル４００の上端に戻る。これらの書込位置ＬＩＭ，ＬＢＫとの移動に伴って、さらに、第１の調整領域ＲＢＫ１には上方から画像が書き込まれ、第１の画像領域ＲＩＭ１は上方から画像が消去される。これにより、液晶パネル４００の上部１／２の領域が第２の画像領域ＲＩＭ２となり、下部１／２の領域が第１の調整領域ＲＢＫ１となる。
【００４０】
図７（ｄ）では、液晶パネル４００の上端に戻った調整信号書込位置ＬＢＫと、画像信号書込位置ＬＩＭとがさらに下方に移動する。これらの書込位置ＬＩＭ，ＬＢＫとの移動に伴って、第１の調整領域ＲＢＫ１にはさらに上方から画像が書き込まれ、第２の画像領域ＲＩＭ２は上方から画像が消去される。これにより、液晶パネル４００の上部１／４の領域が第２の調整領域ＲＢＫ２となり、中央部の１／２の領域が第２の画像領域ＲＩＭ２となり、下部１／４の領域が第１の調整領域ＲＢＫ１となる。
【００４１】
このように、第１実施例では、液晶パネル４００上の全ての位置において、１／２垂直期間（１／２ＴVT）の間は画像が表示された状態に維持され、１／２垂直期間（１／２ＴVT）の間は画像が消去された状態に維持される。そのため、前のフレームの画像から次のフレームの画像に切り替わる１垂直期間ＴVTのうちの十分な時間、画像が消去された状態が維持される。そのため、動画を表示する際に、表示フレーム内で継続的に画像が表示されることにより画像がぼけて観察される動画ぼけ現象を抑制することができる。
【００４２】
また、液晶パネル４００の隣接するゲート線に接続された画素回路４１０は、ほぼ１／２垂直期間（１／２ＴVT）同極性に維持される。そのため、異なる極性の画像信号と調整信号とが隣接した画素回路４１０に書き込まれることにより隣接する画素回路４１０間のセル電圧の差により液晶セルが所望の特性を示さない現象の発生を抑制することができる。
【００４３】
なお、上述の説明から明らかなように、第１実施例の液晶表示装置１０（図１）においては、制御部１００と信号線駆動部２００とゲート線駆動部３００とが、図７に示す画像領域ＲＩＭ１，ＲＩＭ２と調整領域ＲＢＫ１，ＲＢＫ２とを下方に移動させることにより走査が行われる。そのため、制御部１００と信号線駆動部２００とゲート線駆動部３００とを併せて走査部ともいうことができる。この走査部は、画像信号書込位置ＬＩＭと調整信号書込位置ＬＢＫとを移動させることにより、画像領域ＲＩＭ１，ＲＩＭ２と調整領域ＲＢＫ１，ＲＢＫ２とを下方に移動させる書込位置設定部としての機能を有している。また、走査部は、画像信号書込位置ＬＩＭ上の画素回路４１０への画像信号の書き込みと、調整信号書込位置ＬＢＫ上の画素回路４１０への調整信号の書き込みとを交互に行なう階調信号書込部としての機能を有している。
【００４４】
Ｂ．第２実施例：
図８は、第２実施例において、開始信号ＤＹおよび走査クロックＣＬＹと同期信号との関係を示すタイミングチャートである。第２実施例のタイミングチャートは、画像信号保持時間ＴSが３／４垂直期間（３／４ＴVT）に設定されている点と、調整信号保持時間ＴXが１／４垂直期間（１／４ＴVT）に設定されている点とで、図４に示す第１実施例のタイミングチャートと異なっている。他の点は、第１実施例と同じである。
【００４５】
図９は、第２実施例において、液晶パネル４００に画像信号と調整信号とが書き込まれる様子を示す説明図である。図９（ａ）〜図９（ｄ）のそれぞれは、１／４垂直期間（１／４ＴVT）ごとの液晶パネル４００の状態を示している。
【００４６】
図９の例では、図８に示すように、画像信号保持時間ＴSが３／４垂直期間（３／４ＴVT）に設定されており、調整信号保持時間ＴXが１／４垂直期間（１／４ＴVT）に設定されている。そのため、図９（ａ）の状態では、液晶パネル４００の下部３／４が第１の画像領域ＲＩＭ１ａとなっており、上部１／４の領域が調整領域ＲＢＫ１ａとなっている。
【００４７】
図９（ｂ）から図９（ｄ）に示すように、時間の経過とともに、画像信号書込位置ＬＩＭａと調整信号書込位置ＬＢＫａとが移動する。これらの書込位置ＬＩＭａ，ＬＢＫａの移動に伴って、調整領域ＲＢＫ１ａは液晶パネル４００の上方から下方に移動し、液晶パネル４００は上方から第２の画像領域ＲＩＭ２ａとなる。
【００４８】
このように、第２実施例では、液晶パネル４００上の全ての位置において、３／４垂直期間（３／４ＴVT）の間は画像が表示された状態に維持され、１／４垂直期間（１／４ＴVT）の間は画像が消去された状態に維持される。このように、調整信号保持時間ＴXを１／４垂直期間（１／４ＴVT）としても、第１実施例と同様に、画像が消去された状態が十分な時間維持されるので、動画ぼけ現象を抑制することができる。
【００４９】
第２実施例は、画像信号保持時間ＴSが第１実施例の画像信号保持時間ＴS（＝１／２ＴVT）よりも長い３／４垂直期間（３／４ＴVT）に設定されている。そのため、第１実施例よりもより長い時間にわたって液晶パネル４００に画像が表示される状態が維持されるので、画像のコントラストをより高めることができる点で、第１実施例よりも好ましい。
【００５０】
第２実施例では、画像信号保持時間ＴSを３／４垂直期間（３／４ＴVT）に設定しているが、画像信号保持時間ＴSが第１実施例の画像信号保持時間ＴS（＝１／２ＴVT）よりも長く設定されていればよい。すなわち、調整信号保持時間ＴXが第１実施例の調整信号保持時間ＴX（＝１／２ＴVT）よりも短く設定されていればよい。このようにしても、液晶パネル４００に画像が表示される時間が第１実施例よりも長くなるので、液晶パネル４００に表示される画像のコントラストをより高めることができる。
【００５１】
Ｃ．第３実施例：
図１０は、第３実施例における液晶表示装置１２の構成を示す説明図である。図１０に示す第３実施例の液晶表示装置１２は、制御部１０２が平均電圧検出部１１０と調整信号保持時間設定部１２０とを有している点で、図１に示す第１実施例の液晶表示装置１０と異なっている。他の点は、第１実施例と同様である。
【００５２】
図１１は、平均電圧検出部１１０によって実行される平均電圧検出ルーチンを示すフローチャートである。この平均電圧検出ルーチンは、制御部１０２の起動時から常時実行されている。
【００５３】
ステップＳ１１０において、平均電圧検出部１１０は、フレームの切替が発生したか否かを判断する、具体的には、制御部１０２に入力された垂直同期信号ＶＳＹＮＣ（図４）がＨレベルからＬレベルに立ち下がったか否かを判断する。垂直同期信号ＶＳＹＮＣが立ち下がった場合には、フレームの切替が発生したと判断され、制御がステップＳ１４０に移される。一方、垂直同期信号ＶＳＹＮＣが立ち下がっていない場合には、フレームの切替が発生していないと判断され、制御がステップＳ１２０に移される
【００５４】
ステップＳ１２０において、平均電圧検出部１１０は、１本のゲート線分の画素回路４１０に設定される画像信号電圧を取得する。具体的には、画像信号の書込が行われる際に、制御部１０２からＤＡＣ２２０に供給される信号線データを取得することにより、画像信号電圧を取得することができる。そして、ステップＳ１３０において、平均電圧検出部１１０は、取得した画像信号電圧を積算する。
【００５５】
ステップＳ１３０において、画像信号電圧を積算した後、制御はステップＳ１１０に戻され、フレームの切替が検出されるまで、すなわち、１垂直期間ＴVT（図４）の間画像信号電圧の積算が行われる。
【００５６】
ステップＳ１４０において、平均電圧検出部１１０は、画像信号電圧の積算値から１垂直期間ＴVT中の（すなわち、１フレーム分）の画像信号電圧の平均値（平均電圧値ＶM）を算出する。具体的には、画像信号電圧の積算値を画素回路４１０の数（Ｍ×Ｎ個）で除することによって、平均電圧値ＶMを算出する。このように算出された平均電圧値ＶMは、平均電圧検出部１１０から調整信号保持時間設定部１２０に供給される。
【００５７】
図１１のステップＳ１５０において、平均電圧検出部１１０は、画像信号電圧の積算値をリセットする。そして、積算値のリセットの後、制御はステップＳ１１０に移される。
【００５８】
調整信号保持時間設定部１２０（図１０）は、図１１のステップＳ１４０において平均電圧検出部１１０から供給された平均電圧値ＶMから、調整信号保持時間ＴXMを算出する。そして、平均電圧値ＶMを算出した垂直期間ＴVTの次の垂直期間ＴVTでの調整信号保持時間ＴXを、調整信号保持時間算出値ＴXMに設定する。そのため、第３実施例では、表示が行われたフレームの次のフレームを表示する際に、先のフレームで表示された画像に応じて設定された調整信号保持時間ＴXが設定される。
【００５９】
なお、調整信号保持時間算出値ＴXMは、先のフレームでの画像信号保持時間ＴSおよび平均電圧値ＶMと、調整信号電圧−ＶXの絶対値ＶXと、を用いて、例えば、以下の式（１）により求めることが可能である。但し、調整信号保持時間算出値ＴXMに上限値（例えば、１／５ＴVT）と下限値（例えば、４／５ＴVT）を設定し、上限値と下限値との間の範囲内で調整信号保持時間ＴXを設定するのが好ましい。
【００６０】
ＴXM＝ＴS×ＶM／ＶX      …（１）
【００６１】
このように、調整信号保持時間ＴXを設定することにより、ある垂直期間ＴVTにおいて画像の表示のために設定されたセル電圧（画像信号電圧）の平均値と、その次の垂直期間ＴVTにおいて画像の消去のために設定されるセル電圧（調整信号電圧）の平均値と、の２つの平均値の絶対値を等しくすることができる。上述のように、画像信号電圧と調整信号電圧とは、極性が反転されているので、２垂直期間（２ＴVT）でのセル電圧の時間平均値をほぼ０とすることができる。
【００６２】
第３実施例では、液晶パネル４００に表示される画像にかかわらず、セル電圧の時間平均値をほぼ０とすることができる点で、第１実施例および第２実施例よりも好ましい。一方、第１実施例および第２実施例は、制御がより容易となる点で、第３実施例よりも好ましい。
【００６３】
なお、第３実施例では、調整信号保持時間ＴXの設定は、調整信号保持時間ＴXの設定に使用されるフレームの次のフレームを表示する際に行なっているが、調整信号保持時間ＴXの設定に使用されるフレームを表示する際に調整信号保持時間ＴXの設定を行うことも可能である。この場合、制御部１０２には、例えば、１フレーム分の画像信号電圧を格納するフレームバッファが設けられる。そして、フレームバッファに格納された画像信号電圧の平均値に基づいて調整信号保持時間ＴXを設定して、フレームバッファに格納された画像信号電圧でフレームを表示ことにより、調整信号保持時間ＴXの設定に使用されるフレームを表示する際に調整信号保持時間ＴXの設定を行うことができる。このようにすれば、１フレームを表示する１垂直期間ＴVT内で、セル電圧が平均化されるので、セル電圧の時間平均値をより０に近づけることがより容易となる。
【００６４】
また、第３実施例では、調整信号保持時間ＴXは、式（１）に基づいて算出された調整信号保持時間算出値ＴXMに設定されているが、フレームごとの調整信号保持時間ＴXの変化率に制限を加えることも可能である。例えば、先のフレームで設定された調整信号保持時間ＴXから次のフレームにおける調整信号保持時間ＴXの許容範囲を設定する。そして、調整信号保持時間算出値ＴXMが設定された許容範囲を外れた場合には、調整信号保持時間ＴXを調整信号保持時間算出値ＴXMに最も近い許容範囲内の値に設定するものとしても良い。
【００６５】
Ｄ．第４実施例：
図１２は、第４実施例における液晶表示装置１４の構成を示す説明図である。図１２に示す第４実施例の液晶表示装置１４は、制御部１０４が調整信号保持時間設定部１２０に替えて調整信号電圧設定部１３０を有している点で、図１０に示す第３実施例の液晶表示装置１２と異なっている。他の点は、第３実施例と同じである。
【００６６】
調整信号電圧設定部１３０は、平均電圧検出部１１０から供給された平均電圧値ＶMから調整信号電圧算出値−ＶXMを算出する。具体的には、そして、平均電圧値ＶMを算出した垂直期間ＴVTの次の垂直期間ＴVTでの調整信号電圧−ＶXを調整信号電圧算出値−ＶXMに設定する。そのため、第４実施例では、表示が行われたフレームの次のフレームを表示する際に、先のフレームで表示された画像に応じて設定された調整信号電圧−ＶXが設定される。調整信号電圧算出値−ＶXMには、例えば、平均電圧値ＶMと絶対値ＶXMが同じで、極性が平均電圧値ＶMと反対の電圧値−ＶMに設定される。
【００６７】
このように、調整信号電圧−ＶXを設定することにより、ある垂直期間ＴVTにおいて画像の表示のために設定されたセル電圧（画像信号電圧）の平均値と、その次の垂直期間ＴVTにおいて画像の消去のために設定されるセル電圧（調整信号電圧）の平均値と、の２つの平均値の絶対値を等しくすることができる。上述のように、画像信号電圧と調整信号電圧とは、極性が反転されているので、２垂直期間（２ＴVT）でのセル電圧の時間平均値をほぼ０とすることができる。
【００６８】
第４実施例は、第３実施例と同様に液晶パネル４００に表示される画像にかかわらず、セル電圧の時間平均値をほぼ０とすることができる点で、第１実施例および第２実施例よりも好ましい。また、第４実施例は、調整信号保持時間ＴXを一定値とすることで、画像が消去された状態を十分な時間維持して動画ぼけ現象を抑制しつつ、セル電圧の時間平均値をより０に近づけることが容易となる点で、第３実施例よりも好ましい。
【００６９】
Ｅ．変形例：
なお、この発明は上記実施例や実施形態に限られるものではなく、その要旨を逸脱しない範囲において種々の態様において実施することが可能であり、例えば次のような変形も可能である。
【００７０】
Ｅ１．変形例１：
上記各実施例では、液晶パネル４００上での画像信号書込位置ＬＩＭ，ＬＩＭａと調整信号書込位置ＬＢＫ，ＬＢＫａとをそれぞれ１箇所としているが、画像信号の書き込みと調整信号の書き込みとのそれぞれを複数箇所において行うことも可能である。たとえば、図１３に示すように、画像信号の書き込みを２つの画像信号書込位置ＬＩＭ１ｂ，ＬＩＭ２ｂにおいて行い、調整信号の書き込みを２つの調整信号書込位置ＬＢＫ１ｂ，ＬＢＫ２ｂにおいて行うものとしても良い。このようにしても、図１３に示すように、液晶パネル４００のすべての位置において、１／６垂直期間（１／６ＴVT）の間は画像が消去された状態に維持される。そのため、前のフレームの画像から次のフレームの画像に切り替わる１垂直期間ＴVTのうちの十分な時間、画像が消去された状態が維持されるので、動画ぼけ現象を抑制することができる。
【００７１】
さらに、画像信号書込位置と調整信号書込位置とをさらに増やすことも可能である。一般に、液晶パネル４００上の帯状の画像領域（画像バンド）が複数の隣接するゲート線Ｇn，Ｇn+1（図１）上に接続された一群の画素回路４１０（走査線）を含んでいれば良い。このようにしても、画像信号が書き込まれた走査線に隣接する少なくとも一方の走査線には画像信号が書き込まれた状態に維持される。そのため、隣接する画素回路４１０間のセル電圧の差を低減することができ、液晶パネル４００に表示される画像の品質が向上する。
【００７２】
なお、液晶パネル４００上の帯状の調整領域（調整バンド）が複数の隣接する走査線を含むのがより好ましい。調整バンドが複数の隣接走査線を含むことにより、液晶パネル４００のすべての位置において、画像が消去された状態に維持される時間がより長くなる。また、調整信号が書き込まれた走査線に隣接する少なくとも一方の走査線には調整信号が書き込まれた状態に維持され、クロストークにより調整バンドに画像が現れることを抑制できる。このように、画像が消去された状態に維持される時間がより長くなり、調整バンドに画像が現れることが抑制されるので、動画ぼけ現象をより確実に抑制することができる。
【００７３】
Ｅ２．変形例２：
上記各実施例では、図３に示すゲート線駆動部３００により、ゲート線Ｇ1〜ＧNをＨレベルに駆動しているが、異なる構成のゲート線駆動部を用いてゲート線Ｇ1〜ＧNをＨレベルに駆動するものとしても良い。一般に、ゲート線駆動部は、画像バンドと調整バンドとが移動して液晶パネル４００の走査ができるように、画像信号と調整信号（併せて、「階調信号」とも呼ぶ）の書込位置を順次移動させることができればよい。たとえば、制御部が複数のシフトレジスタにそれぞれ異なるタイミングで開始パルスを入れることが可能であれば、いずれかのシフトレジスタを選択し、選択されたシフトレジスタの出力データでゲート線Ｇ1〜ＧNの駆動を行うことも可能である。
【００７４】
Ｅ３．変形例３：
上記各実施例では、本発明を液晶表示装置に適用しているが、本発明は、表示セルに極性の異なる信号を書き込む画像表示装置であれば、任意の画像表示装置に適用することができる。たとえば、表示セルに極性の異なる信号を書き込む画像表示装置であれば、電界発光（ＥＬ）表示装置や、プラズマディスプレイパネル（ＰＤＰ）等にも適用することも可能である。
【図面の簡単な説明】
【００７５】
【図１】第１実施例における液晶表示装置１０の構成を示す説明図。
【図２】画素回路４１０のセル電圧Ｖｃと、液晶セル４１４の透過率Ｔと、の関係を示すグラフ。
【図３】ゲート線駆動部３００の回路構成を示す回路図。
【図４】開始信号ＤＹおよび走査クロックＣＬＹと同期信号との関係を示すタイミングチャート。
【図５】走査信号とゲート線駆動部３００の出力信号との関係を示すタイミングチャート。
【図６】液晶パネル４００の画素回路４１０が駆動される様子を示す説明図。
【図７】液晶パネル４００上で、画像信号と調整信号とが書き込まれる様子を示す説明図。
【図８】第２実施例における開始信号ＤＹおよび走査クロックＣＬＹと同期信号との関係を示すタイミングチャート。
【図９】第２実施例において、液晶パネル４００に画像信号と調整信号とが書き込まれる様子を示す説明図。
【図１０】第３実施例における液晶表示装置１２の構成を示す説明図。
【図１１】平均電圧検出部１１０によって実行される平均電圧検出ルーチンを示すフローチャート。
【図１２】第４実施例における液晶表示装置１４の構成を示す説明図。
【図１３】画像信号および調整信号の書込方式の変形例を示す説明図。
【符号の説明】
【００７６】
１０…液晶表示装置
１２…液晶表示装置
１４…液晶表示装置
１００…制御部
１０２…制御部
１０４…制御部
１１０…平均電圧検出部
１２０…調整信号保持時間設定部
１３０…調整信号電圧設定部
２００…信号線駆動部
２２０…ＤＡＣ
３００…ゲート線駆動部
３１０…シフトレジスタ
３２０…アンドゲート
４００…液晶パネル
４１０…画素回路
４１２…トランジスタ
４１４…液晶セル
４１６…液晶容量
４１８…対向電極
【図１】
2008096859.tif 000003
【図２】
2008096859.tif 000004
【図３】
2008096859.tif 000005
【図４】
2008096859.tif 000006
【図５】
2008096859.tif 000007
【図６】
2008096859.tif 000008
【図７】
2008096859.tif 000009
【図８】
2008096859.tif 000010
【図９】
2008096859.tif 000011
【図１０】
2008096859.tif 000012
【図１１】
2008096859.tif 000013
【図１２】
2008096859.tif 000014
【図１３】
2008096859.tif 000015